(57)【要約】【課題】通信端末装置からインターネット上の地図情報配信サーバーにアクセスしたときに、ユーザーが必要な場所、必要な種類のものだけを選択して入手できる地図情報配信システムを提供することを目的とする。【解決手段】地図情報配信システムをインターネットに接続した地図情報配信サーバーと通信端末装置とで構成し、地図情報配信サーバーが、通信端末装置からスタート地点と一以上の目的地の情報を受信すると、地図情報配信サーバーの道路地図データベースを用いてスタート地点から目的地に至る移動ルートを探索し、更に地図情報配信サーバーのガイド情報データベースを用いて目的地のガイド情報を検索し、探索した移動ルートと検索した目的地のガイド情報を抽出して地図を構築し、構築した地図の電子情報を前記通信端末装置に送信するようにした。【選択図】  図１
2004340854.tif 000002
【特許請求の範囲】
【請求項１】
道路情報とエリア情報を蓄積した道路地図データベースとガイド情報データベースと検索手段と制御手段と情報送受信手段を有する地図情報配信サーバーと、
少なくともスタート地点と一以上の目的地を入力する入力手段とスタート地点と目的地と地図情報要求信号を送信し地図情報を受信する送受信手段と記憶手段と表示手段とを有し記憶した地図情報を前記記憶手段から読み出して前記表示手段に表示するようにした通信端末装置とを備え、
前記地図情報配信サーバーと前記通信端末装置をインターネットで接続し、
前記地図情報配信サーバーが、前記通信端末装置からスタート地点と目的地と地図情報要求信号を受信すると、前記地図情報配信サーバーの前記検索手段が、前記道路地図データベースからスタート地点から一以上の目的地に至る移動ルートを検索するとともに、前記地図情報配信サーバーの前記ガイド情報データベースから目的地のガイド情報を検索し、検索した移動ルートと移動ルートの周辺のエリア情報と目的地のガイド情報を地図情報として前記通信端末装置に送信するよう構成したことを特徴とする地図情報配信システム。
【請求項２】
前記通信端末装置に、地図情報配信サーバーから受信した地図情報を表示した状態で、現在位置の情報を入力する現在位置情報入力手段を設け、現在位置が目的地付近に近づいたときは、近づいた目的地のガイド情報を表示するようにしたことを特徴とする請求項１に記載の地図情報配信システム。
【請求項３】
前記通信端末装置に探索範囲を入力する手段を設け、地図情報配信サーバーから受信した地図情報を表示した状態で探索範囲を入力し、地図情報配信サーバーに探索範囲と地図情報要求信号を送信するよう構成するとともに、
前記地図情報配信サーバーが、前記通信端末装置から探索範囲と地図情報要求信号を受信すると、前記地図情報配信サーバーの前記検索手段が、前記道路地図データベースから探索範囲にあるエリア情報を検索し、検索したエリア情報を地図情報として前記通信端末装置に送信するよう構成したことを特徴とする請求項１に記載の地図情報配信システム。
【請求項４】
前記通信端末装置に、地図情報配信サーバーから受信した地図情報を表示した状態で新たなスタート地点と目的地を地図上に入力する入力手段と、地図上に入力されたスタート地点と目的地の地図上の座標を計算する座標計算手段とを設け、新たなスタート地点と目的地を地図上に入力して、地図情報配信サーバーに新たなスタート地点と目的地の地図上の座標と地図情報要求信号を送信するよう構成した請求項１に記載の地図情報配信システム。
【発明の詳細な説明】
【０００１】
【発明の属する技術分野】
本発明は、旅行者がインターネット上の地図情報配信サーバーにアクセスして、旅行のスタート地点から目的地に至る移動ルートとガイド情報を入手するための地図情報配信システムに関する。
【０００２】
【従来の技術】
現在、インターネット接続機能付き携帯電話装置を利用すれば、インターネット上のタウン情報提供サーバーにアクセスして、特定エリアの地図情報と、特定エリアにどのような観光スポットや有名な場所（地名）や飲食店があるかというエリア情報と、それら観光スポットや有名な場所や飲食店を解説しているガイド情報を簡単に入手することができる。また、更にＧＰＳ機能を持った携帯電話装置では、現在位置が刻々と検出されるため、エリア情報を検索して行きたくなった目的地までの移動ルートを検索することもできる。
【０００３】
しかし、地図情報、エリア情報、観光スポットを解説しているガイド情報は、インターネットから個別に入手するため、それぞれの情報を入手するための操作が必要であり、作業が煩雑であった。また、集めた複数の情報を１つの観光案内地図のように集約した形で見ることができないという問題があった。また、地図情報が画一的であるため、地図が詳しすぎるときはどの道を通ればよいか迷うこという問題もあった。
【０００４】
なお、ＧＰＳ機能付き携帯電話装置ではスタート地点から目的地までの移動ルートを検索することができるが、装置を小型・軽量にする必要があるため膨大な地図情報の記憶や現在位置の計算については、ＧＰＳ衛星から受信した電波の受信結果を基地局に送って、基地局で詳細な現在地の計算、あるいは移動ルートの検索をしてもらって、計算結果である現在地と移動ルートと地図情報を送り返してもらうようにしている（例えば、特許文献１）。そのため、基地局から電波が届かない所では、仮にＧＰＳ衛星の電波を受信したとしても、現在位置も分からず、移動ルートも地図情報も得られないという問題があった。
【０００５】
【特許文献１】
特開平９−３１１１７７号公報
【０００６】
【発明が解決しようとする課題】
本発明は、通信端末装置からインターネット上の地図情報配信サーバーにアクセスしたときに、ユーザーが必要とする情報だけを一つの地図情報として入手できるようにし、通信端末装置で後で読み出して利用できるようにした地図情報配信システムを提供することを第一の目的としている。
【０００７】
また、通信端末装置に地図情報配信サーバーから受信した地図情報を表示した状態で現在位置の情報を入力できるようにして、現在位置が目的地付近に近づいたときは、近づいた目的地のガイド情報を表示するようにした地図情報配信システムを提供することを第二の目的としている。
【０００８】
また、通信端末装置に地図情報配信サーバーから受信した地図情報を表示した状態で探索範囲を入力して、地図情報配信サーバーから探索範囲内のエリア情報を入手できるようにした地図情報配信システムを提供することを第三の目的としている。
【０００９】
また、通信端末装置に、地図情報配信サーバーから受信した地図情報を表示した状態で、新たなスタート地点と目的地を地図上に入力して、地図情報配信サーバーから新たなスタート地点と目的地についての地図情報を入手できる地図情報配信システムを提供することを第四の目的としている。
【００１０】
【課題を解決するための手段】
本発明は、上記第一の課題を解決するために、道路情報とエリア情報を蓄積した道路地図データベースとガイド情報データベースと検索手段と制御手段と情報送受信手段を有する地図情報配信サーバーと、少なくともスタート地点と一以上の目的地を入力する入力手段とスタート地点と目的地と地図情報要求信号を送信し地図情報を受信する送受信手段と記憶手段と表示手段とを有し記憶した地図情報を記憶手段から読み出して前記表示手段に表示するようにした通信端末装置とを備え、地図情報配信サーバーと通信端末装置をインターネットで接続し、地図情報配信サーバーが、通信端末装置からスタート地点と目的地と地図情報要求信号を受信すると、地図情報配信サーバーの検索手段が、道路地図データベースからスタート地点から一以上の目的地に至る移動ルートを検索するとともに、地図情報配信サーバーのガイド情報データベースから目的地のガイド情報を検索し、検索した移動ルートと移動ルートの周辺のエリア情報と目的地のガイド情報を地図情報として通信端末装置に送信する構成を採る。
【００１１】
この構成により、通信端末装置からスタート地点と一以上の目的地の情報を地図情報配信サーバーに送信すると、ユーザーが必要とする移動ルートと移動ルートの周辺のエリア情報と目的地のガイド情報を得ることができる。特に、地図情報については、移動ルートと移動ルートの周辺のエリア情報と目的地のガイド情報だけにしているので、道案内図として分かりやすく、また記憶容量を小さくして保存しやすくしている。また、通信端末装置の記憶手段に地図情報配信サーバーから受信した地図情報を記憶して随時読み出して表示手段に表示することができるので、旅行用の電子地図として見ることができる。
【００１２】
また、本発明は上記第二の課題を解決するために、通信端末装置に、地図情報配信サーバーから受信した地図情報を表示した状態で、現在位置の情報を入力する現在位置情報入力手段を設け、現在位置が目的地付近に近づいたときは、近づいた目的地のガイド情報を表示する構成を採る。
【００１３】
この構成により、ＧＰＳによる現在位置検出手段を持つ通信端末装置では、目的地付近に近づいたことにより自動的にガイド情報が表示されるので、目的地に到達する予告とガイド情報を得ることができる。また、ＧＰＳによる現在位置検出手段を持たない通信端末装置であっても、キー入力手段によりあるいは歩数計と方位磁石を利用した自走式ナビゲーション手段により現在位置を入力することにより、目的地のガイド情報を得ることができる。
【００１４】
また、本発明は上記第三の課題を解決するために、通信端末装置に探索範囲を入力する手段を設け、地図情報配信サーバーから受信した地図情報を表示した状態で探索範囲を入力し、地図情報配信サーバーに探索範囲と地図情報要求信号を送信するとともに、地図情報配信サーバーが、通信端末装置から探索範囲と地図情報要求信号を受信すると、地図情報配信サーバーの検索手段が、道路地図データベースから探索範囲にある主な地名、観光スポット名などのエリア情報を検索し、検索したエリア情報を地図情報として通信端末装置に送信する構成を採る。
【００１５】
この構成により、通信端末装置に表示している地図上に探索範囲を指定して、探索範囲内の主な地名、観光スポット名などのエリア情報を知ることができる。そして、その中から新たな目的地を選択することができる。
【００１６】
また、本発明は上記第四の課題を解決するために、通信端末装置に、地図情報配信サーバーから受信した地図情報を表示した状態で新たなスタート地点と目的地を地図上に入力する入力手段と、地図上に入力されたスタート地点と目的地の地図上の座標を計算する座標計算手段とを設け、新たなスタート地点と目的地を地図上に入力して、地図情報配信サーバーに新たなスタート地点と目的地の地図上の座標と地図情報要求信号を送信する構成を採る。
【００１７】
この構成により、地図情報配信サーバーから新たなスタート地点と目的地についての地図情報を入手することができる。そして、目的地に到着したときに同様の作業を繰り返して次々と目的地を入力し、移動ルートをつなげていくことによって、旅行者が道に迷うことなく観光スポット巡りを楽しむことができる。
【００１８】
【発明の実施の形態】
（実施の形態１）
以下、本発明の第１の実施の形態にかかる地図情報配信システムについて、図面を用いて説明する。図１に、本発明の第１の実施の形態にかかる地図情報配信システムのシステム構成図を示す。図１では、インターネット１に地図情報配信サーバー２を接続している。地図情報配信サーバー２は、市街の生活道路を含む詳細な道路の情報と、道路周辺の観光スポットや有名な場所の地名等のエリア情報を蓄積した道路地図データベース２１と、エリア内の観光スポットについて簡単に解説しているガイド情報、例えば有名な神社仏閣のガイド情報を蓄積したガイド情報データベース２２を持ち、通信端末装置からのスタート地点と目的地の情報に基づいて移動ルートと目的地のガイド情報の検索を行う検索手段２３と、サーバーとしての全体の制御を行う制御手段２４と、通信端末装置と情報を送受信するための情報送受信手段２５を持っている。これら道路地図データベース２１、ガイド情報データベース２２、検索手段２３、制御手段２４と情報送受信手段２５は互いに接続されていて、制御手段２４の制御の下、通信端末装置からのアクセスを受け付けて地図情報を送信する地図情報配信サーバー２としてインターネット１に接続している。
【００１９】
図１で、地図情報配信サーバー２は更に、ゲートウェイ３、携帯電話網４、基地局５に接続しており、基地局５を介してインターネット接続機能付き携帯電話装置などのインターネット接続機能を持った通信端末装置６からアクセスすることができる。
【００２０】
旅行者は通信端末装置６を用いて地図情報配信サーバー２にアクセスし、旅行のスタート地点と行きたい目的地と地図情報要求信号を送信する。地図情報配信サーバー２の情報送受信手段２５が、通信端末装置６から旅行のスタート地点と行きたい目的地と地図情報要求信号を受信すると、制御手段２４の制御の下、地図情報配信サーバー２の検索手段２３は、道路地図データベース２１から移動ルートを検索し、同じく地図情報配信サーバー２のガイド情報データベース２２から、予め登録されている目的地に関するガイド情報を検索する。そして、検索した移動ルートの情報と移動ルート周辺のエリア情報と目的地のガイド情報を一つの地図情報に構築する。地図情報には、移動ルートと移動ルート周辺のエリア情報と目的地を表示することとして、目的地のガイド情報を地図に電子的に埋め込んだ形で通信端末装置６に送信する。
【００２１】
なお、入手したい情報の種類をたとえば、移動ルートと目的地を表示した道案内として使える簡単な地図、目的地を解説しているガイド情報だけというように細かく特定して地図情報配信サーバー２に送信するようにしてもよい。
【００２２】
図２に、本発明の第一の実施の形態にかかる地図情報配信システムの処理手順をフローチャートとして示す。地図情報配信サーバー２が起動し地図情報配信の受け付けを開始すると（ステップＳ１）、通信端末装置６では目的とする地域名、例えば「京都」を入力して地図情報配信サーバー２に送信する。すると、具体的な目的地である観光スポットが例えば、図３のように通信端末装置６の表示手段７に表示される。旅行者は、通信端末装置６のキー操作部を用いて、スタート地点と目的地を入力する。例えば、図３のように、スタート地点には二重丸を、目的地に黒丸８を、目的地以外に白丸９を入力する（ステップＳ３）。通信端末装置６からスタート地点と目的地の情報と地図情報要求信号を地図情報配信サーバー２に送信すると（ステップＳ４）、地図情報配信サーバー２は、スタート地点と目的地を最短距離で回る移動ルートと目的地のガイド情報を検索し、移動ルートと移動ルートの周辺のエリア情報と目的地のガイド情報で一つの地図情報を構築して、通信端末装置６に送信する（ステップＳ５）。
【００２３】
通信端末装置６で受信した地図情報は、通信端末装置６の記憶手段に記憶され、例えば図４のように通信端末装置６の表示手段７に表示される。図４では、スタート地点１０である清水寺と目的地１１である高台寺、知恩院が枠で囲った形で表示され、目的地を一本につなげた移動ルート１２が表示される（ステップＳ６）。移動ルート１２の周辺には、「産寧坂」「円山公園」などのエリア情報である地名１３が表示される。なお、図４にガイド情報は表示されていないが、電子的に埋め込まれており、受信したことを確認するために、その後、ガイド情報が表示手段７に表示される（ステップＳ７）。地図情報配信サーバー２が受け付けを終了するのであれば（ステップＳ８）、地図情報配信サーバー２の受け付けは終了するが（ステップと９）、地図情報配信サーバー２が受け付けを続けていれば、地図情報配信を同様の手順で繰りかえす。
【００２４】
このように通信端末装置６には、地図情報配信サーバー２から、旅行者が要求した目的地への移動ルート１２と地名、主要な観光スポットの建物名などのエリア情報と、目的地のガイド情報が、一つの地図情報として送信される。地図情報は図４に示したように道案内的な簡単な地図であるので、記憶容量は少なく、通信端末装置６の記憶手段に記憶しておくことができる。
【００２５】
図５に本発明の通信端末装置６の外観を示す。通信端末装置６はインターネット接続機能付き携帯電話装置を用いることができる。通信端末装置６は、電話番号を入力するテンキーなどのキー操作部１４、送話器として機能するマイクロフォン１５、受話器として機能するスピーカー１６と、液晶表示装置などを用いた表示手段７、アンテナ１２、筐体に内蔵した無線通信手段や記憶手段などを備えているが、ＧＰＳ機能は備えていないとして説明する。これらキー操作部１４、マイクロフォン１５、スピーカー１６等はインターネット接続機能付き携帯電話装置の機能を果たすためにそれぞれ用いられる。本発明では、キー操作部１４の四方向キー１４ａを地図情報配信サーバー２から受信して表示手段７に表示させた地図上に現在位置を入力する現在位置入力手段としても使用する。すなわち、図５の地図では、スタート地点１０の清水寺から移動ルート１２が白い一定幅のある道路として示されている。四方向キー１４ａを通信端末装置６を持って歩いて移動している方向に傾けると、移動ルート１２上に黒い線１８が延びるようにして、四方向キー１４ａから手を離すと、黒い線１８の先端が地図上の現在位置を示すようにしている。なお、黒い線１８の先端が現在位置と思う所よりも行き過ぎれば、逆方向に四方向キー１４ａを傾けて、黒線１８の先端を戻すことができる。
【００２６】
通信端末装置６にＧＰＳ機能があれば、基地局５から現在位置の情報が送られてくるので、携帯無線通信装置６が移動するにつれて、表示手段７に示された地図の上で、黒い線１８は自動的に地図の移動ルート１２上を目的地に向かって延びていく。図５では、清水寺をスタート地点として、現在は高台寺の近くの左折路にさしかかった状態を示している。目的地に近づくと、目的地を解説するガイド情報が、例えば図６のように表示される。ガイド情報は、文字情報だけでなく、その観光スポットの代表的な写真が表示される。また、音声情報がスピーカー１６からも出力される。
【００２７】
このように、本発明によれば、インターネット上の地図情報配信サーバー２から、ユーザーが送信したスタート地点と目的地の情報から、移動ルート１２と移動ルート付近の地名・道路名等のエリア情報と、目的地１１と目的地を解説するガイド情報を地図情報として通信端末装置６に送信し、通信端末装置６の記憶手段に記憶することによって、旅行の際に通信端末装置６で記憶した地図情報を記憶手段から読み出して、通信端末装置６をガイド装置として利用することができる。
【００２８】
特に、ＧＰＳ機能付きの携帯情報端末装置では、基地局５から自分の現在位置の情報が刻々と送られてくるので、目的地１１にさしかかると、表示手段７にガイド情報が自動的に表示されるので便利である。
【００２９】
なお、本発明の通信端末装置６では、図５のように四方向キー１４ａで、現在位置を入力することができるので、基地局５が近くに無くて、基地局から現在位置の情報が送ってこないときでも、表示手段７の地図を見て、四方向キー１４ａで移動ルート１２の上の移動済みを示す黒い線１８を上下左右に延ばしていくことで、地図上に自分の位置を示すことができる。手動で現在位置を入力することになるが、目的地に近づくとガイド情報が出力されるので、地図情報を楽しむことができる。特に、日本の地図情報配信サーバー２で、日本語による外国の観光地の地図情報を入手しておけば、通信方式の違いにより外国でＧＰＳ機能が働かなくなったとしても、地図を表示して、現在位置を入力することにより、外国の観光地を日本語で案内するガイド装置として利用することができるので便利である。
【００３０】
なお、ＧＰＳによるナビゲーションに代わる自走式ナビゲーション手段として歩数計とジャイロを用いてスタート地点からの移動距離を求め、表示手段７上に現在位置を表示するようにしておけば、手動で現在位置を入力しなくてよい。
【００３１】
また、地図情報配信サーバー２から通信端末装置６に取り込んだ地図情報は、移動ルートと、目的地と、地名・道路名などのエリア情報とガイド情報だけであるため、記憶容量が少ないので、いくつも保存しておくことができる。
【００３２】
（実施の形態２）
次に本発明の第二の実施の形態にかかる地図情報配信システムについて説明する。既に説明した第一の実施の形態にかかる地図情報配信システムでは、図２に示したフローチャートの手順で目的地等を入力していったが、第二の実施の形態にかかる地図情報配信システムでは、一度地図情報を得た後に、その延長線上で新たな地図情報を入手ることができる機能を追加したものである。
【００３３】
図７のように、一度入手した移動ルート１２を目的地まで歩いてしまったときは、その先の地図情報は通信端末装置６には無い。そのため、図２に示したフローチャートの手順で、全く新しくスタート地点と目的地を入力して地図情報配信サーバーにアクセスし直すことになる。
【００３４】
本発明では、探索モードという動作モードを準備しており、表示手段７に表示している地図上に破線の円３１と円の中心を十文字３２で示した探索範囲をキー操作部１４の四方向キー１４ａで上下左右に動かせるようにしている。そして、表示している地図上で位置を特定した探索範囲について、地図情報配信サーバー２から探索範囲内のガイド情報を入手できるようにしている。
【００３５】
一度入手した地図情報を表示手段７に表示した状態で、探索モードを動作させ、探索範囲を示す破線の円３１の中心３２を四方向キー１４ａで上下左右に動かして位置決めする。すると、通信端末装置６の図示しない制御手段は、表示している地図上の探索範囲を示す破線の円３１の中心３２の座標と半径をデータとして読み取り、地図情報配信サーバー２に送信できる探索範囲特定データに加工する。探索範囲特定データと地図情報要求信号を通信端末装置６から地図情報配信サーバー２に送信すると、地図情報配信サーバー２では、道路地図情報データベース２１を検索して、探索範囲内にあるエリア情報を抽出して、通信端末装置６に送信する。通信端末装置６では、図８のように探索範囲の破線の円３１とその中にある主な観光スポット名などのエリア情報が表示される。
【００３６】
通信端末装置６の使用者は、表示されたエリア情報の中から、目的地を選択することができる。ここでは、平安神宮を新たな目的地に選択したとして説明する。現在地は知恩院であるから、通信端末装置６の制御手段は、スタート地点として知恩院の座標を、目的地として平安神宮の座標を地図情報配信―バー２に送信するデータとして加工する。そして、これら新たなスタート地点と目的地の情報と地図情報要求信号を地図情報配信サーバー２に送信すると、地図情報配信サーバー２は、新たな移動ルートと移動ルートの周辺のエリア情報と目的地を説明しているガイド情報を新たな地図情報として通信端末装置６に送信する。
【００３７】
通信端末装置６には、図９のように新たな地図が表示されるので、通信端末装置６の使用者は、新たな移動ルートを道しるべとして移動することができる。以下同様に、目的地に到達すれば、探索範囲を指定してエリア情報を入手し、新たな目的地を選択して地図情報を入手するのを繰り返すことによって、移動ルート、移動ルートの周辺のエリア情報と目的地のガイド情報を得て、道に迷うことなく進むことができる。
【００３８】
なお、図７と図８では、探索範囲を特定するのに破線の円３１と円の中心を示す十文字３２を用いた例を説明したが、探索範囲を円でなく、図１０のように現在位置からの所定範囲の方角を線３３、３４で特定するようにしても良い。どちらの方向に進もうかと迷った場合に、知りたい方角にどんな観光スポットがあるのか、エリア情報が得られるので、新たな目的地を選択することができて便利である。
【００３９】
さらに、通信端末装置６に方位センサ等の自分の向いている方角を認識できるセンサを搭載しておくことで、自分の知りたい方角を向くだけで新たな目的地を選択するようにしてもよい。
【００４０】
そして、さらに通信端末装置６に自分の向いている方角を認識できるセンサを搭載して、この通信端末装置６を手に持った使用者がどの方向を向いているかを認識し、ユーザーが向いている方角（目的地方向）のエリア情報を自動的に表示できるようにしてもよい。
【００４１】
（実施の形態３）
次に本発明の第三の実施の形態にかかる地図情報配信システムについて説明する。第一及び第二の実施の形態にかかる地図情報配信システムでは、通信端末装置６をインターネット接続機能付き携帯電話装置を用いた例を説明したが、本発明の第三の実施の形態にかかる地図情報配信システムでは、図１１のように、インターネット１に接続したパーソナルコンピュータ６１で地図情報を入手している。パーソナルコンピュータ６１として、小型のノートパソコンを用いれば、インターネット１から直接、地図情報配信サーバー２にアクセスして地図情報を入手した後は、インターネット１から小型のノートパソコン６１を切り離して携行して旅行することができる。
【００４２】
また、インターネット１に接続したパーソナルコンピュータ６１に着脱可能なカード型メモリー６２を装着してカード型メモリー６２に地図情報を記憶した後、カード型メモリー６２を通信端末装置６に入れて使用するようにしてもよい。
【００４３】
【発明の効果】
以上説明したように本発明によれば、通信端末装置からスタート地点と一以上の目的地の情報を送信し、ユーザーが必要な情報だけを一つの地図情報として受信することができる。特に、移動ルートとエリア情報と目的地を道案内的な地図情報として表示し、目的地のガイド情報は記憶手段に記憶しておいて目的地に近づいたときに表示するようにしているので、不必要な情報が表示されておらず、地図情報のデータ量が少なく、送受信が短時間で済み、記憶容量も少なくて済むことはもちろん、簡単明瞭で見やすいという効果がある。
【００４４】
また、本発明は、通信端末装置６に、地図情報配信サーバー２から受信した地図情報を表示し、移動ルート上の現在位置の情報を入力することができるようにしたので、表示画面上に現在位置を入力すれば、基地局から、現在位置の情報が送信されてこなくても、旅行用のナビゲーション地図として見ることができる。また、目的地に接近すれば、ガイド情報が出力されるので、目的地に近づいた予告と情報をタイミング良く得ることができるという利点がある。
【００４５】
そして、一度地図情報を入手すれば、その地図を利用して地図上で付近の探索をして近くにある観光スポット等を見つけたり、地図上に新たにスタート地点と目的地を入力して、新たな地図情報を入手することもできる。
【図面の簡単な説明】
【図１】本発明の第一の実施の形態にかかる地図情報配信システムのシステム構成図
【図２】本発明の第一の実施の形態にかかる地図情報配信システムの処理手順を示したフローチャート
【図３】本発明の第一の実施の形態にかかる地図情報配信システムの通信端末装置の表示画面の遷移図
【図４】本発明の第一の実施の形態にかかる地図情報配信システムの通信端末装置の表示画面の遷移図
【図５】本発明の第一の実施の形態にかかる地図情報配信システムの通信端末装置の使用状態における外観図
【図６】本発明の第一の実施の形態にかかる地図情報配信システムの通信端末の表示画面の遷移図
【図７】本発明の第二の実施の形態にかかる地図情報配信システムの通信端末の表示画面の遷移図
【図８】本発明の第二の実施の形態にかかる地図情報配信システムの通信端末の表示画面の遷移図
【図９】本発明の第二の実施の形態にかかる地図情報配信システムの通信端末の表示画面の遷移図
【図１０】本発明の第二の実施の形態にかかる地図情報配信システムの通信端末の表示画面の遷移図
【図１１】本発明の第三の実施の形態にかかる地図情報配信システムのシステム構成図
【符号の説明】
１  インターネット
２  地図情報配信サーバー
３  ゲートウェイ
４  携帯電話網
５  基地局
６  通信端末装置
７  表示手段
１０  スタート地点
１１  目的地
１２  移動ルート
１４  キー操作部
１４ａ  四方向キー
２１  道路地図データベース
２２  ガイド情報データベース
２３  検索手段
２４  情報送受信手段
６１  パーソナルコンピュータ
６２  カード型メモリー
【図１】
2004340854.tif 000003
【図２】
2004340854.tif 000004
【図３】
2004340854.tif 000005
【図４】
2004340854.tif 000006
【図５】
2004340854.tif 000007
【図６】
2004340854.tif 000008
【図７】
2004340854.tif 000009
【図８】
2004340854.tif 000010
【図９】
2004340854.tif 000011
【図１０】
2004340854.tif 000012
【図１１】
2004340854.tif 000013